(57)【要約】【課題】パケット伝送を行なう外部通信ネットワークを利用して音声通信を行なう場合に、音声パケットの到着タイミングの遅延及びパケットロスを最小限に抑えることが可能とする。【解決手段】主装置１Ｂにおいて、既に備えられている回線インタフェース部１９にゲートウェイ部１９１及びルータ部１９２を内蔵させ、かつこの回線インタフェース部１９にはＬＡＮ３との間のインタフェース機能及びＩＰ網ＩＰＮとの間のインタフェース機能のみを設けるようにして、ゲートウェイ部１９１とルータ部１９２との間を接続するＬＡＮ３を削除するようにした。【選択図】    図６
2004336144.tif 000002
【特許請求の範囲】
【請求項１】
パケットを伝送するローカルエリア・ネットワークと、
電話端末を含む複数の内線端末を接続し、これら内線端末に対し所定の交換処理を行なう構内交換装置と、
前記構内交換装置と前記ローカルエリア・ネットワークとの間を接続し、前記構内交換装置から到来した信号をパケットに変換してローカルエリア・ネットワークに送信すると共に、ローカルエリア・ネットワークから到来したパケットを信号に変換して構内交換装置へ送信するゲートウェイ部と、
前記構内交換装置からの制御に基づき前記ローカルエリア・ネットワークとパケットを伝送する外部通信ネットワークとの間を接続し、前記ローカルエリア・ネットワークから到来したパケットを外部通信ネットワーク伝送用パケットに変換して前記外部通信ネットワークに送信すると共に、前記外部通信ネットワークから到来したパケットを前記ローカルエリア・ネットワーク伝送用パケットに変換して前記ローカルエリア・ネットワークに送信するルータ部とを備えたマルチメディア情報通信システムであって、
前記ゲートウェイ部及び前記ルータ部を前記構内交換装置に内蔵することを特徴とするマルチメディア情報通信システム。
【請求項２】
前記構内交換装置は、前記内線端末を接続した内線を含む通信回線を接続可能な複数の回線インタフェース部と、呼の設定要求に応じて、複数の回線インタフェース部間を選択的に接続する交換制御部とを有し、
これら回線インタフェース部の少なくとも一部を第１の回線インタフェース部に設定してこの第１の回線インタフェース部に前記ゲートウェイ部及び前記ルータ部を内蔵して前記ローカルエリア・ネットワーク及び前記外部通信ネットワークを接続し、この第１の回線インタフェース部とは異なる回線インタフェース部を第２の回線インタフェース部に設定してこれら第２の回線インタフェース部に前記ローカルエリア・ネットワーク及び前記外部通信ネットワーク以外の通信回線を接続するようにしたことを特徴とする請求項１記載のマルチメディア情報通信システム。
【請求項３】
前記第１の回線インタフェース部は、前記ルータ部において前記外部通信ネットワークに送出すべきパケットの内、音声パケットを判別し、その音声パケットを最優先して前記外部通信ネットワークへ送信することを特徴とする請求項２記載のマルチメディア情報通信システム。
【請求項４】
パケットを伝送するローカルエリア・ネットワークと、
電話端末を含む複数の内線端末を接続し、これら内線端末に対し所定の交換処理を行なう構内交換装置と、
前記構内交換装置と前記ローカルエリア・ネットワークとの間を接続し、前記構内交換装置から到来した信号をパケットに変換してローカルエリア・ネットワークに送信すると共に、ローカルエリア・ネットワークから到来したパケットを信号に変換して構内交換装置へ送信するゲートウェイ部と、
前記構内交換装置からの制御に基づき前記ローカルエリア・ネットワークとパケットを伝送する外部通信ネットワークとの間を接続し、前記ローカルエリア・ネットワークから到来したパケットを外部通信ネットワーク伝送用パケットに変換して前記外部通信ネットワークに送信すると共に、前記外部通信ネットワークから到来したパケットを前記ローカルエリア・ネットワーク伝送用パケットに変換して前記ローカルエリア・ネットワークに送信するルータ部とを備えたマルチメディア情報通信システムで使用される構内交換装置であって、
自装置に、前記ゲートウェイ部及び前記ルータ部を内蔵して、前記ローカルエリア・ネットワーク及び前記外部通信ネットワークを接続することを特徴とする構内交換装置。
【請求項５】
前記内線端末を接続した内線を含む通信回線を接続可能な複数の回線インタフェース部と、
呼の設定要求に応じて、複数の回線インタフェース部間を選択的に接続する交換制御部とを具備し、
これら回線インタフェース部の少なくとも一部を第１の回線インタフェース部に設定してこの第１の回線インタフェース部に前記ゲートウェイ部及び前記ルータ部を内蔵して前記ローカルエリア・ネットワーク及び前記外部通信ネットワークを接続し、この第１の回線インタフェース部とは異なる回線インタフェース部を第２の回線インタフェース部に設定してこれら第２の回線インタフェース部に前記ローカルエリア・ネットワーク及び前記外部通信ネットワーク以外の通信回線を接続するようにしたことを特徴とする請求項４記載の構内交換装置。
【請求項６】
前記第１の回線インタフェース部は、前記ルータ部において前記外部通信ネットワークに送出すべきパケットの内、音声パケットを判別し、その音声パケットを最優先して前記外部通信ネットワークへ送信することを特徴とする請求項５記載の構内交換装置。
【発明の詳細な説明】
【０００１】
【発明の属する技術分野】
この発明は、ＬＡＮ（Ｌｏｃａｌ  Ａｒｅａ  Ｎｅｔｗｏｒｋ）を介してマルチメディア情報通信を行なうシステムに係わり、特に音声通信サービス機能の充実を図ったマルチメディア情報通信システムとその構内交換装置に関する。
【０００２】
【従来の技術】
従来の構内ネットワークシステムは、例えば電話機等の音声通信端末をＰＢＸ（Ｐｒｉｖａｔｅ  Ｂｒａｎｃｈ  Ｅｘｃｈａｎｇｅ）又はボタン電話主装置といった電話交換装置に内線端末として収容し、これら内線端末と公衆網等の外部通信網との間および内線端末相互間を電話交換装置により交換接続して通話を可能にしている。また、パーソナル・コンピュータ等のデータ端末をＬＡＮに接続し、このＬＡＮを介してデータ端末間で電子メールやデータの伝送を行なうように構成されている。さらに、電話交換装置を用いた音声通信系と、ＬＡＮを用いたデータ通信系とをゲートウェイを用いることで連携させるシステムも提唱されている。
【０００３】
この種のシステムは、ＬＡＮをＩＰネットワークに接続することが可能である。この場合、ＬＡＮとＩＰネットワークとの間をルータを介して接続されることになる。ルータは、プロトコル変換機能及びデータのフォーマット変換機能等を備えており、これにより電話交換装置に収容された内線端末とＩＰネットワークとの間、もしくはＬＡＮに接続されたデータ端末とＩＰネットワークとの間でマルチメディア情報通信を可能にしている（例えば特許文献１）。
【０００４】
ところで、上記システムでは、ＩＰネットワークにおける音声のＱｏｓ（Ｑｕａｌｉｔｙ  ｏｆ  ｓｅｒｖｉｃｅ）の確保が重要な課題となっており、これに伴い、種々のＱｏｓ確保の方式が考えられている。
【０００５】
【特許文献１】
特願平９−１６１７２２号。
【０００６】
【発明が解決しようとする課題】
ところが、上記システムにおいて、内線端末とＩＰネットワークとの間で音声通信を行なう際に、内線端末から発生する送話音声信号及び内線端末への受話音声信号はパケット化されてＬＡＮ上を伝送するため、ＬＡＮ上のトラフィック等によりパケット到着タイミングの遅延やパケットロスが発生することになる。
【０００７】
また、ＩＰネットワークが低いデータレートである場合に、ロングパケットによる音声の遅延が極めて大きくなり、これによりパケットロスの発生確率が非常に高くなる。
【０００８】
これらの不具合を解決するために、ルータにおいてＵＤＰ（Ｕｓｅｒ  Ｄａｔａｇｒａｍ  Ｐｒｏｔｏｃｏｌ）を優先したりデータパケットのフラグメント化を行なうが、いずれにせよパケット上で音声を認識するまでにソフト処理上の遅延が発生するのは避けられない。
【０００９】
この発明の目的は、パケット伝送を行なう外部通信ネットワークを利用して音声通信を行なう場合に、音声パケットの到着タイミングの遅延及びパケットロスを最小限に抑えることが可能なマルチメディア情報通信システムとその構内交換装置を提供することにある。
【００１０】
【課題を解決するための手段】
この発明は、上記目的を達成するために、以下のように構成される。
【００１１】
（１）パケットを伝送するローカルエリア・ネットワークと、電話端末を含む複数の内線端末を接続し、これら内線端末に対し所定の交換処理を行なう構内交換装置と、構内交換装置とローカルエリア・ネットワークとの間を接続し、構内交換装置から到来した信号をパケットに変換してローカルエリア・ネットワークに送信すると共に、ローカルエリア・ネットワークから到来したパケットを信号に変換して構内交換装置へ送信するゲートウェイ部と、構内交換装置からの制御に基づきローカルエリア・ネットワークとパケットを伝送する外部通信ネットワークとの間を接続し、ローカルエリア・ネットワークから到来したパケットを外部通信ネットワーク伝送用パケットに変換して外部通信ネットワークに送信すると共に、外部通信ネットワークから到来したパケットを前記ローカルエリア・ネットワーク伝送用パケットに変換して前記ローカルエリア・ネットワークに送信するルータ部とを備えたマルチメディア情報通信システムであって、ゲートウェイ部及びルータ部を構内交換装置に内蔵するようにしたものである。
【００１２】
すなわち（１）の発明は、構内交換装置内にローカルエリア・ネットワーク接続用のゲートウェイ部を内蔵するとともに、ローカルエリア・ネットワーク及び外部通信ネットワーク接続用のルータ部を内蔵し、かつゲートウェイ部にはローカルエリア・ネットワークとの間のインタフェース機能のみを設け、ルータ部にはローカルエリア・ネットワークとの間のインタフェース機能及び外部通信ネットワークとの間のインタフェース機能のみを設けるようにしたものである。
【００１３】
従って（１）の発明によれば、構内交換装置とは別に専用ゲートウェイ及び専用ルータを設置する必要がなくなり、しかもゲートウェイ部及びルータ部を構内交換装置内に内蔵しただけでなく、ゲートウェイ部と構内交換装置との間の通信回線や専用インタフェースユニットを不要にし、さらにルータ部と構内交換装置との間の通信回線や専用インタフェースユニットを不要にすることができ、その分構内交換装置とゲートウェイ部との間、構内交換装置とルータ部との間を接続する回線を減らしてシステムの配線構造を簡素化することができ、これにより音声パケットの到着タイミングの遅延やパケットロスの発生を極力抑えることができる。
【００１４】
（２）構内交換装置は、内線端末を接続した内線を含む通信回線を接続可能な複数の回線インタフェース部と、呼の設定要求に応じて、複数の回線インタフェース部間を選択的に接続する交換制御部とを有し、これら回線インタフェース部の少なくとも一部を第１の回線インタフェース部に設定してこの第１の回線インタフェース部にゲートウェイ部及びルータ部を内蔵してローカルエリア・ネットワーク及び外部通信ネットワークを接続し、この第１の回線インタフェース部とは異なる回線インタフェース部を第２の回線インタフェース部に設定してこれら第２の回線インタフェース部にローカルエリア・ネットワーク及び外部通信ネットワーク以外の通信回線を接続するようにしたことを特徴とする。
【００１５】
すなわち（２）の発明は、構内交換装置において、既に備えられている回線インタフェース部にゲートウェイ部及びルータ部を内蔵し、かつこの回線インタフェース部にはローカルエリア・ネットワークとの間のインタフェース機能及び外部通信ネットワークとの間のインタフェース機能のみを設けるようにしたものである。
【００１６】
従って（２）の発明によれば、ルータ部及びゲートウェイ部を１つの回線インタフェース部に一体的に設けることにより、ルータ部及びゲートウェイ部を別々に用意する必要がなく、しかもゲートウェイ部のローカルエリア・ネットワークインタフェース機能とルータ部のローカルエリア・ネットワークインタフェース機能とが共用されるので、ゲートウェイ部とルータ部との間を接続するローカルエリア・ネットワークを不要にすることができ、これにより（１）の発明に比してさらにシステムの配線構造を簡素化でき、外部通信ネットワークとの通信を行なう際に、ローカルエリア・ネットワーク上の混雑による衝突、スループットからも影響を受けない構造とすることができる。従って、外部通信ネットワークに対するパケットの到着タイミングの遅延、パケットロスを大幅に低減できる。
【００１７】
（３）第１の回線インタフェース部は、前記ルータ部において前記外部通信ネットワークに送出すべきパケットの内、音声パケットを判別し、その音声パケットを最優先して外部通信ネットワークへ送信することを特徴とする。
【００１８】
（３）の発明によれば、電話端末からの音声信号をパケット化する時点で、ルータ部はそのパケットが音声であることを認識でき、この音声パケットを他のパケットよりも優先して外部通信ネットワークへ送信することができる。これにより電話端末と外部通信ネットワークとの間で最適な音声通信を行なうことができる。また音声パケットの判別を、プロトコル及びパケット内の設定無しで行なうことができる。
【００１９】
【発明の実施の形態】
以下、図面を参照してこの発明のいくつかの実施形態につき詳細に説明する。
【００２０】
図１は、この発明に係わるマルチメディア情報通信システムを示す概略構成図である。
【００２１】
このシステムは、主装置１とＬＡＮ３とを有する。主装置１は、電話機等を含む複数の内線端末（２−１〜２−ｉ）２を任意に接続している。また、ＬＡＮ３は、パーソナル・コンピュータ等のデータ端末ＰＣ１〜ＰＣｊを接続している。
【００２２】
また、主装置１とＬＡＮ３との間には、ゲートウェイＧＷが接続されている。ゲートウェイＧＷは、主装置１とＬＡＮ３との間を接続するもので、主装置１とＬＡＮ３との間における通信プロトコル及び信号フォーマットの変換機能を備えている。
【００２３】
さらに、ＬＡＮ３には、ルータＲＴが接続されている。ルータＲＴは、主装置１から直接到来する制御パケットに基づき、ＬＡＮ３とパケット伝送用のＩＰ網ＩＰＮとの間を接続するもので、ＬＡＮ３とＩＰ網ＩＰＮとの間における通信プロトコル及び信号フォーマットの変換機能を備えている。
【００２４】
また、上記ゲートウェイＧＷ及びルータＲＴを主装置１に内蔵するマルチメディア情報通信システムもある。
図２は、そのマルチメディア情報通信システムの概略構成図である。
【００２５】
主装置１Ａは、タイムスイッチ１１、局線インタフェース部１２、複数（ｉ個）の内線インタフェース部１３（１３−１〜１３−ｉ）、中央制御部１４を備えており、タイムスイッチ１１、局線インタフェース部１２、内線インタフェース部１３は、ＰＣＭハイウェイ１５介して互いに接続されている。
【００２６】
また、局線インタフェース部１２、内線インタフェース部１３及び中央制御部１４は、データハイウェイ１６を介して互いに接続されている。さらに、タイムスイッチ１１は、制御部１４に直接接続されている。
【００２７】
タイムスイッチ１１は、制御部１４の制御に基づいてＰＣＭハイウェイ１５上のタイムスロットの入れ替えを行なうことによって、局線インタフェース部１２と内線インタフェース部１３との間、内線インタフェース部１３相互間を任意に交換接続する。
【００２８】
局線インタフェース部１２には、公衆回線や専用線などの局線Ｌが必要に応じて接続される。局線インタフェース部１２は、接続された局線Ｌに関する局線インタフェース動作を行なう。また、局線インタフェース部１２は、上記局線インタフェース動作に係わる種々の制御情報の授受を、データハイウェイ１６を介して中央制御部１４との間で行なう。
【００２９】
内線インタフェース部１３には、内線端末２が必要に応じて接続される。内線インタフェース部１３は、接続された内線端末２に関する内線インタフェース動作を行なう。また、内線インタフェース部１３は、上記内線インタフェース動作に係わる種々の制御情報の授受を、データハイウェイ１６を介して中央制御部１４との間で行なう。
【００３０】
中央制御部１４は、所定の交換処理プログラムに基づいた処理を行なうことで、タイムスイッチ１１、局線インタフェース部１２及び内線インタフェース部（１３−１〜１３−ｉ）１３のそれぞれを総括制御し、主装置１Ａとしての動作を実現する。
【００３１】
ところで、この主装置１Ａには、ゲートウェイ部１７及びルータ部１８が内蔵されている。ゲートウェイ部１７は、汎用のゲートウェイＧＷから主装置インタフェース機能を削除し、ＬＡＮ３との間のインタフェース機能のみを設けたものとなっている。
【００３２】
ルータ部１８は、上記ルータＲＴや汎用のダイヤルアップルータ装置から主装置インタフェース機能を削除し、ＬＡＮ３との間のインタフェース機能及びＩＰ網ＩＰＮとの間のインタフェース機能のみを設けたものとなっている。
【００３３】
ゲートウェイ部１７は、図３に示すような機能構成である。すなわち、ゲートウェイ部１７は、ＬＡＮインタフェース部（ＬＡＮ  Ｉ／Ｆ）１７１と、接続制御部１７２と、パケット処理部１７３と、データ管理部１７４とを備えている。
【００３４】
接続制御部１７２は、中央制御部１４からの制御に基づき、ＬＡＮ３とＰＣＭハイウェイ１５との間の接続制御を行なう。
【００３５】
パケット処理部１７３は、ＰＣＭハイウェイ１５から受信した音声信号をＬＡＮ３で取り扱い可能な音声パケットに変換してＬＡＮ３へ送出すると共に、ＬＡＮ３から受信した音声パケットをＰＣＭハイウェイ１５で取り扱い可能な音声信号に変換してＰＣＭハイウェイ１５へ送信する機能を有する。
【００３６】
データ管理部１７４は、上記接続制御部１７２の接続制御に必要なルーティング情報等を格納している。
【００３７】
また、ルータ部１８は、図４に示すような機能構成である。すなわち、ルータ部１８は、ＬＡＮインタフェース部（ＬＡＮ  Ｉ／Ｆ）１８１と、ＩＰ網インタフェース部（ＩＰ網  Ｉ／Ｆ）１８２と、接続制御部１８３と、パケット処理部１８４と、データ管理部１８５とを備えている。
【００３８】
接続制御部１８３は、中央制御部１４からの制御に基づき、ＬＡＮ３とＩＰ網ＩＰＮとの間の接続制御を行なう。
【００３９】
パケット処理部１８４は、ＬＡＮ３から受信したパケットをＩＰ網ＩＰＮで取り扱い可能なパケットに変換してＩＰ網ＩＰＮへ送出すると共に、ＩＰ網ＩＰＮから到来したパケットをＬＡＮ３で取り扱い可能なパケットに変換してＬＡＮ３へ送信する機能を有する。ここでは、ＬＡＮ３から受信したパケットをフラグメント化して、細かく分けたパケットを生成してＩＰ網ＩＰＮへ送出するようにしている。
【００４０】
データ管理部１８５は、上記接続制御部１８３の接続制御に必要なルーティング情報等を格納している。
【００４１】
次に、以上のように構成されたシステムによる音声通信動作を説明する。
【００４２】
図５に示すように、例えばＩＰ網ＩＰＮに接続された端末装置ＴＴ１と、主装置１Ａに接続された内線端末２−１との間で音声通信を行なうために、端末装置ＴＴ１において発信操作が行なわれたとする。そうすると、ＩＰ網ＩＰＮからルータ部１８に対し着信信号が送られる。この着信信号を受信したルータ部１８は、データ管理部１８５に記憶されたルーティング情報を参照することで、内線端末２−１を識別し、この内線端末２−１に対してデータハイウェイ１６及び内線インタフェース部１３−１を介して接続要求信号を送信する。
【００４３】
この接続要求信号を受信した内線端末２−１では、鳴音が発生されるか又は着信表示が行なわれ、これによりユーザに対し着信の発生が報知される。そして、この着信報知に対しユーザが応答操作を行なうと、内線端末２−１は接続応答信号を要求元のルータ部１８へ送信し、この接続応答信号を受信したルータ部１８はＩＰ網ＩＰＮに対して応答信号を送信する。かくして、発信元の端末装置ＴＴ１と着信先の内線端末２−１との間にはＩＰ網ＩＰＮ、ルータ部１８及びゲートウェイ部１７を経由した通信路が形成され、以後端末装置ＴＴ１と内線端末２−１との間では音声通信が可能となる。
【００４４】
すなわち、端末装置ＴＴ１から送信された音声パケットはＩＰ網ＩＰＮを介してルータ部１８へ送信される。ルータ部１８では、受信した音声パケットがＬＡＮ３伝送用の音声パケットに変換され、この音声パケットがＬＡＮ３を介してゲートウェイ部１７へ伝送される。ゲートウェイ部１７では、受信した音声パケットが音声信号に変換され、この音声信号はＰＣＭハイウェイ１５、内線インタフェース部１３−１を介して内線端末２−１へ伝送される。内線端末２−１において、供給された音声信号はスピーカ等によって拡声出力される。
【００４５】
これに対し、マイクロホン等により入力された送話音声信号は、内線端末２−１によりＰＣＭハイウェイ１５を介してゲートウェイ部１７に伝送される。ゲートウェイ部１７では、ＰＣＭハイウェイ１５から受信した音声信号が音声パケットに変換され、この音声パケットはＬＡＮ３を介してルータ部１８に伝送される。
【００４６】
ルータ部１８では、ＬＡＮ３から受信した音声パケットがフラグメント化され、この音声パケットはＩＰ網ＩＰＮを介して端末装置ＴＴ１に伝送される。
【００４７】
一方、主装置１に接続された内線端末２−１からＩＰ網ＩＰＮに接続された端末装置ＴＴ１に対し発信する場合には、上記と逆の手順で接続が行なわれる。
【００４８】
（第１の実施形態）
この第１の実施形態は、図１における主装置１、ゲートウェイＧＷ及びルータＲＴに関するものである。
【００４９】
図６は、第１の実施形態におけるマルチメディア情報通信システムの概略構成図である。なお、図６において、上記図２と同一部分には同一符号を付して詳細な説明を省略する。
【００５０】
すなわち、この第１の実施形態は、主装置１Ｂに回線インタフェース部１９を新たに設けるようにしたものである。回線インタフェース部１９は、ゲートウェイ部１９１と、ルータ部１９２とを備えている。また、回線インタフェース部１９には、必要に応じてＬＡＮ３及びＩＰ網ＩＰＮが接続され、さらにＰＣＭハイウェイ１５及びデータハイウェイ１６が接続される。
【００５１】
回線インタフェース部１９は、ＰＣＭハイウェイ１５から受信した音声信号を音声パケットに変換し、さらにＬＡＮ３又はＩＰ網ＩＰＮから受信した音声パケットを音声信号に変換してＰＣＭハイウェイ１５に送出する。また、ＬＡＮ３から受信したパケットをフラグメント化した後ＩＰ網ＩＰＮへ送出し、ＩＰ網ＩＰＮから受信したパケットをＬＡＮ伝送用のパケットに変換してＬＡＮ３へ送出する。
【００５２】
さらに、回線インタフェース部１９は、信号をパケット化する時点で、パケットのうちの音声パケットを判別し、この音声パケットを最優先してＩＰ網ＩＰＮに送信する機能を備えている。
【００５３】
次に、以上のように構成されたシステムによる音声通信動作を説明する。
【００５４】
いま、主装置１Ｂに接続された内線端末２−１とＩＰ網ＩＰＮに接続された端末装置ＴＴ１とが音声通信を行なっているものとする。同時に、ＬＡＮ３に接続されたデータ端末ＰＣ１とＩＰ網ＩＰＮに接続された端末装置ＴＴ２とが通信を行なっているものとする。
【００５５】
内線端末２−１から送信された信号は、図７に示すように内線インタフェース部１３−１及びＰＣＭハイウェイ１５を介して回線インタフェース部１９へ伝送される。回線インタフェース部１９は、受信した音声信号を音声パケット「２」，「４」，「５」…に順次変換する。
【００５６】
また、データ端末ＰＣ１から送信されたロングパケットは、ＬＡＮ３を介して回線インタフェース部１９へ伝送される。回線インタフェース部１９は、受信したロングパケットをパケット「１」，「３」，「６」，「７」…に順次フラグメント化する。
【００５７】
なお、これらパケット「１」〜「７」のヘッダには、通信開始時点からのパケット送信順位を表す識別番号が挿入される。このうち、音声パケットについては、他のデータパケットよりも優先されて識別番号が挿入される。ここで、「１」〜「５」は音声パケットであり、「６」，「７」は音声以外のデータパケットである。
【００５８】
上記各パケットは、ＩＰ網ＩＰＮを介して端末装置ＴＴ１，ＴＴ２に伝送される。
【００５９】
以上のように上記第１の実施形態では、主装置１Ｂにおいて、既に備えられている回線インタフェース部１９にゲートウェイ部１９１及びルータ部１９２を内蔵させ、かつこの回線インタフェース部１９にはＬＡＮ３との間のインタフェース機能及びＩＰ網ＩＰＮとの間のインタフェース機能のみを設けるようにして、ゲートウェイ部１９１とルータ部１９２との間を接続すべくＬＡＮ３を削除するようにしている。
【００６０】
従って、ゲートウェイ部１９１及びルータ部１９２を１つの回線インタフェース部１９に一体的に設けることにより、ルータ及びゲートウェイを別々に用意する必要がなく、しかもゲートウェイ部１９１のＬＡＮインタフェース機能とルータ部１９２のＬＡＮインタフェース機能とが共用されるので、ゲートウェイ部１９１とルータ部１９２との間を接続するＬＡＮ３を不要にすることができる。これにより、システムの配線構造を簡素化でき、ＩＰ網ＩＰＮとの通信を行なう際に、ＬＡＮ３上の混雑による衝突、スループットからも影響を受けない構造とすることができる。よって、ＩＰ網ＩＰＮに対するパケットの到着タイミングの遅延、パケットロスを大幅に低減できる。
【００６１】
また、上記第１の実施形態の回線インタフェース部１９によれば、ルータ部１９２において、ＩＰ網ＩＰＮに送出すべきパケットの内、音声パケットを判別し、その音声パケットを最優先してＩＰ網ＩＰＮへ送信するようにしているので、内線端末２−１とＩＰ網ＩＰＮ上の端末装置ＴＴ１との間で最適な音声通信を行なうことができる。また、音声パケットの判別を、プロトコル及びパケット内の設定無しで行なうことができるので、回線インタフェース部１９の処理負荷を大幅に軽減できる。
【００６２】
さらに、回線インタフェース部１９では、ある内線インタフェース部１３−１から到来する音声信号については音声パケットに変換してＩＰ網ＩＰＮに送信し、一方別の内線インタフェース部１３−２から到来する音声信号については音声パケットに変換してＬＡＮ３に送信するというように、呼設定要求ごとに最適なパケット送信を行なうことができる。このことは、ＬＡＮ３からのパケット受信時についても、ＩＰ網ＩＰＮからのパケット受信時についても、同様である。
【００６３】
（その他の実施形態）
なお、この発明は上記各実施形態に限定されるものではなく、システムの種類や構成、内線端末の種類、ゲートウェイ及びサーバの構成、パケットをフラグメントする手段等についても、この発明の要旨を逸脱しない範囲で種々変形して実施できる。
【００６４】
【発明の効果】
以上詳述したようにこの発明によれば、パケット伝送を行なう外部通信ネットワークを利用して音声通信を行なう場合に、音声パケットの到着タイミングの遅延及びパケットロスを最小限に抑えることが可能なマルチメディア情報通信システムとその構内交換装置を提供することができる。
【図面の簡単な説明】
【図１】マルチメディア情報通信システムの基本的構成を示す概略構成図。
【図２】マルチメディア情報通信システムの他の基本的構成を示す概略構成図。
【図３】図２に示したゲートウェイ部の構成を示すブロック図。
【図４】図２に示したルータ部の構成を示すブロック図。
【図５】図２に示したシステムにおける音声通信動作を説明するための図。
【図６】この発明の第１の実施形態とするマルチメディア情報通信システムを示す概略構成図。
【図７】図６に示したシステムにおける音声通信動作を説明するための図。
【符号の説明】
１，１Ａ，１Ｂ…主装置、２（２−１〜２−ｉ）…内線端末、３…ＬＡＮ、１１…タイムスイッチ、１２…局線インタフェース部、１３（１３−１〜１３−ｉ）…内線インタフェース部、１４…中央制御部、１５…ＰＣＭハイウェイ、１６…データハイウェイ、１７，１９１…ゲートウェイ部、１８，１９２…ルータ部、１９…回線インタフェース部、１７１，１８１…ＬＡＮインタフェース部（ＬＡＮ  Ｉ／Ｆ）、１７２，１８３…接続制御部、１７３，１８４…パケット処理部、１７４，１８５…データ管理部、１８２…ＩＰ網インタフェース部（ＩＰ網Ｉ／Ｆ）、ＧＷ…ゲートウェイ、ＩＰＮ…ＩＰ網、Ｌ…局線、ＰＣ１〜ＰＣｊ…データ端末、ＲＴ…ルータ、ＴＴ１，ＴＴ２…端末装置。
【図１】
2004336144.tif 000003
【図２】
2004336144.tif 000004
【図３】
2004336144.tif 000005
【図４】
2004336144.tif 000006
【図５】
2004336144.tif 000007
【図６】
2004336144.tif 000008
【図７】
2004336144.tif 000009